【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
情報処理装置であって、
複数のアクセスポイントに関わる情報を検出可能な前記情報処理装置において通信装置内のアクセスポイントに関わる情報の選択をユーザに促すための表示処理を実行する表示制御手段と、
前記表示処理が実行された後に確立された前記情報処理装置と前記通信装置内のアクセスポイント間の無線接続を介して、前記情報処理装置の外部であり、かつ、前記通信装置の外部である対象アクセスポイントに関わる情報を送信する送信手段を有し、
前記送信手段により送信された前記対象アクセスポイントに関わる情報に基づいて前記通信装置と前記対象アクセスポイントの間の無線接続が確立されることを特徴とする情報処理装置。
【請求項２】
前記表示処理は、前記情報処理装置において動作可能な設定アプリケーションを用いて実行されることを特徴とする請求項１に記載の情報処理装置。
【請求項３】
前記表示処理は、前記設定アプリケーションの起動がユーザにより指示された後に実行されることを特徴とする請求項２に記載の情報処理装置。
【請求項４】
設定アプリケーションが動作可能な情報処理装置であって、
前記設定アプリケーションの起動がユーザにより指示された後、複数のアクセスポイントに関わる情報を検出可能な前記情報処理装置において通信装置内のアクセスポイントに関わる情報の選択をユーザに促すための表示処理を前記設定アプリケーションを用いて実行する表示処理手段と、
前記設定アプリケーションの起動がユーザにより指示された後の前記情報処理装置に対するユーザ操作に基づいて前記情報処理装置と前記通信装置内のアクセスポイント間の無線接続が確立された場合、前記情報処理装置の外部であり、かつ、前記通信装置の外部である対象アクセスポイントに関わる情報を前記設定アプリケーションにより提供される選択画面に表示させる表示制御手段と、
前記選択画面に対するユーザ操作に基づいて前記対象アクセスポイントに関わる情報を前記情報処理装置と前記通信装置内のアクセスポイント間の前記無線接続を介して前記通信装置に送信する送信手段を有し、
前記送信手段により送信された前記対象アクセスポイントに関わる情報に基づいて前記通信装置と前記対象アクセスポイントの間の無線接続が確立されることを特徴とする情報処理装置。
【請求項５】
前記表示処理は、前記通信装置内のアクセスポイントに関わる情報が選択されていないことに基づいて実行されることを特徴とする請求項１乃至４のいずれか１項に記載の情報処理装置。
【請求項６】
前記表示処理は、前記通信装置内のアクセスポイントに関わる情報が含まれ、かつ、前記通信装置内のアクセスポイントとは異なるアクセスポイントに関わる情報が含まれない所定の画面を表示する処理であることを特徴とする請求項１乃至４のいずれか１項に記載の情報処理装置。
【請求項７】
前記情報処理装置は、電話機能を備えることを特徴とする請求項１乃至６のいずれか１項に記載の情報処理装置。
【請求項８】
前記対象アクセスポイントに関わる情報および前記通信装置内のアクセスポイントに関わる情報はＳＳＩＤであることを特徴とする請求項１乃至７のいずれか１項に記載の情報処理装置。
【請求項９】
前記通信装置は、印刷装置であることを特徴とする請求項１乃至８のいずれか１項に記載の情報処理装置。
【請求項１０】
前記情報処理装置と前記通信装置内のアクセスポイント間の無線接続および前記通信装置と前記対象アクセスポイントの間の無線接続は、ＩＥＥＥ８０２．１１シリーズに準拠した無線接続であることを特徴とする請求項１乃至９のいずれか１項に記載の情報処理装置。
【請求項１１】
前記通信装置と前記対象アクセスポイントの間の無線接続は、インフラストラクチャモードによる無線接続であることを特徴とする請求項１０に記載の情報処理装置。
【請求項１２】
情報処理装置において実行される制御方法であって、
複数のアクセスポイントに関わる情報を検出可能な前記情報処理装置において通信装置内のアクセスポイントに関わる情報の選択をユーザに促すための表示処理を実行する表示制御工程と、
前記表示処理が実行された後に確立された前記情報処理装置と前記通信装置内のアクセスポイント間の無線接続を介して、前記情報処理装置の外部であり、かつ、前記通信装置の外部である対象アクセスポイントに関わる情報を送信する送信工程を有し、
前記送信工程において送信された前記対象アクセスポイントに関わる情報に基づいて前記通信装置と前記対象アクセスポイントの間の無線接続が確立されることを特徴とする制御方法。
【請求項１３】
前記表示処理は、前記情報処理装置において動作可能な設定アプリケーションを用いて実行されることを特徴とする請求項１２に記載の制御方法。
【請求項１４】
前記表示処理は、前記設定アプリケーションの起動がユーザにより指示された後に実行されることを特徴とする請求項１３に記載の制御方法。
【請求項１５】
設定アプリケーションが動作可能な情報処理装置において実行される制御方法であって、
前記設定アプリケーションの起動がユーザにより指示された後、複数のアクセスポイントに関わる情報を検出可能な前記情報処理装置において通信装置内のアクセスポイントに関わる情報の選択をユーザに促すための表示処理を前記設定アプリケーションを用いて実行する表示処理工程と、
前記設定アプリケーションの起動がユーザにより指示された後の前記情報処理装置に対するユーザ操作に基づいて前記情報処理装置と前記通信装置内のアクセスポイント間の無線接続が確立された場合、前記情報処理装置の外部であり、かつ、前記通信装置の外部である対象アクセスポイントに関わる情報を前記設定アプリケーションにより提供される選択画面に表示させる表示制御工程と、
前記選択画面に対するユーザ操作に基づいて前記対象アクセスポイントに関わる情報を前記情報処理装置と前記通信装置内のアクセスポイント間の前記無線接続を介して前記通信装置に送信する送信工程を有し、
前記送信工程により送信された前記対象アクセスポイントに関わる情報に基づいて前記通信装置と前記対象アクセスポイントの間の無線接続が確立されることを特徴とする制御方法。
【請求項１６】
前記表示処理は、前記通信装置内のアクセスポイントに関わる情報が選択されていないことに基づいて実行されることを特徴とする請求項１２乃至１５のいずれか１項に記載の制御方法。
【請求項１７】
前記表示処理は、前記通信装置内のアクセスポイントに関わる情報が含まれ、かつ、前記通信装置内のアクセスポイントとは異なるアクセスポイントに関わる情報が含まれない所定の画面を表示する処理であることを特徴とする請求項１２乃至１５のいずれか１項に記載の制御方法。
【請求項１８】
前記情報処理装置は、電話機能を備えることを特徴とする請求項１２乃至１７のいずれか１項に記載の制御方法。
【請求項１９】
前記対象アクセスポイントに関わる情報および前記通信装置内のアクセスポイントに関わる情報はＳＳＩＤであることを特徴とする請求項１２乃至１８のいずれか１項に記載の制御方法。
【請求項２０】
前記通信装置は、印刷装置であることを特徴とする請求項１２乃至１９のいずれか１項に記載の制御方法。
【請求項２１】
前記情報処理装置と前記通信装置内のアクセスポイント間の無線接続および前記通信装置と前記対象アクセスポイントの間の無線接続は、ＩＥＥＥ８０２．１１シリーズに準拠した無線接続であることを特徴とする請求項１２乃至２０のいずれか１項に記載の制御方法。
【請求項２２】
前記通信装置と前記対象アクセスポイントの間の無線接続は、インフラストラクチャモードによる無線接続であることを特徴とする請求項２１に記載の制御方法。
【請求項２３】
情報処理装置のコンピュータを、
複数のアクセスポイントに関わる情報を検出可能な前記情報処理装置において通信装置内のアクセスポイントに関わる情報の選択をユーザに促すための表示処理を実行する表示制御手段と、
前記表示処理が実行された後に確立された前記情報処理装置と前記通信装置内のアクセスポイント間の無線接続を介して、前記情報処理装置の外部であり、かつ、前記通信装置の外部である対象アクセスポイントに関わる情報を送信する送信手段として動作させるための前記コンピュータが読み取り可能な設定プログラムであって、
前記送信手段により送信された前記対象アクセスポイントに関わる情報に基づいて前記通信装置と前記対象アクセスポイントの間の無線接続が確立されることを特徴とする設定プログラム。
【請求項２４】
前記表示処理は、前記設定プログラムの起動がユーザにより指示された後に実行されることを特徴とする請求項２３に記載の設定プログラム。
【請求項２５】
情報処理装置のコンピュータを、
複数のアクセスポイントに関わる情報を検出可能な前記情報処理装置において通信装置内のアクセスポイントに関わる情報の選択をユーザに促すための表示処理を、前記情報処理装置において動作可能な設定プログラムの起動がユーザにより指示された後に、実行する表示処理手段と、
前記設定プログラムの起動がユーザにより指示された後の前記情報処理装置に対するユーザ操作に基づいて前記情報処理装置と前記通信装置内のアクセスポイント間の無線接続が確立された場合、前記情報処理装置の外部であり、かつ、前記通信装置の外部である対象アクセスポイントに関わる情報を含む前記設定プログラムの選択画面を表示させる表示制御手段と、
前記選択画面に対するユーザ操作に基づいて前記対象アクセスポイントに関わる情報を前記情報処理装置と前記通信装置内のアクセスポイント間の前記無線接続を介して前記通信装置に送信する送信手段として動作させ、
前記送信手段により送信された前記対象アクセスポイントに関わる情報に基づいて前記通信装置と前記対象アクセスポイントの間の無線接続が確立されることを特徴とする前記コンピュータが読み取り可能な設定プログラム。
【請求項２６】
前記表示処理は、前記通信装置内のアクセスポイントに関わる情報が選択されていないことに基づいて実行されることを特徴とする請求項２３乃至２５のいずれか１項に記載の設定プログラム。
【請求項２７】
前記表示処理は、前記通信装置内のアクセスポイントに関わる情報が含まれ、かつ、前記通信装置内のアクセスポイントとは異なるアクセスポイントに関わる情報が含まれない所定の画面を表示する処理であることを特徴とする請求項２３乃至２５のいずれか１項に記載の設定プログラム。
【請求項２８】
前記情報処理装置は、電話機能を備えることを特徴とする請求項２３乃至２７のいずれか１項に記載の設定プログラム。
【請求項２９】
前記対象アクセスポイントに関わる情報および前記通信装置内のアクセスポイントに関わる情報はＳＳＩＤであることを特徴とする請求項２３乃至２８のいずれか１項に記載の設定プログラム。
【請求項３０】
前記通信装置は、印刷装置であることを特徴とする請求項２３乃至２９のいずれか１項に記載の設定プログラム。
【請求項３１】
前記情報処理装置と前記通信装置内のアクセスポイント間の無線接続および前記通信装置と前記対象アクセスポイントの間の無線接続は、ＩＥＥＥ８０２．１１シリーズに準拠した無線接続であることを特徴とする請求項２３乃至３０のいずれか１項に記載の設定プログラム。
【請求項３２】
前記通信装置と前記対象アクセスポイントの間の無線接続は、インフラストラクチャモードによる無線接続であることを特徴とする請求項３１に記載の設定プログラム。
【手続補正２】
【補正対象書類名】明細書
【補正対象項目名】０００７
【補正方法】変更
【補正の内容】
【０００７】
上記課題を解決するために、本発明の情報処理装置は、複数のアクセスポイントに関わる情報を検出可能な前記情報処理装置において通信装置内のアクセスポイントに関わる情報の選択をユーザに促すための表示処理を実行する表示制御手段と、前記表示処理が実行された後に確立された前記情報処理装置と前記通信装置内のアクセスポイント間の無線接続を介して、前記情報処理装置の外部であり、かつ、前記通信装置の外部である対象アクセスポイントに関わる情報を送信する送信手段を有し、前記送信手段により送信された前記対象アクセスポイントに関わる情報に基づいて前記通信装置と前記対象アクセスポイントの間の無線接続が確立されることを特徴とする。